(57)【要約】  【課題】  ひとつの操作で全てのフック部材に吊り下げられた商品を一度に前出しできる商品陳列装置を提供すること。  【解決手段】  ブラケット１、１の前端部に回動自在で軸支される腕部２、２と、腕部２、２の後方に一端が接続され差し渡し状に配設される横部材３と、ブラケット１、１に回動自在に軸支され、自然状態において腕部２、２を載置すると共に、前出し状態で該腕部の後方を上方へ押し上げる水平部材６、６と、水平部材６、６に接続され該水平部材の前方に延出する操作部９、９と、横部材３に左右方向に所定のピッチで付設される２つ以上の商品吊り下げ用フック部材４とを有する商品陳列装置１０。【選択図】      図１
2007029611.tif 000002
【特許請求の範囲】
【請求項１】
左右方向に所定間隔おいて対向する一対の固定部と、
該一対の固定部の少なくとも一方における前端部に回動自在で軸支される腕部と、
該腕部の後方に一端が接続され該腕部間又は該腕部と該固定部間に差し渡し状に配設される横部材と、
該腕部の下方に位置し、該固定部に回動自在に軸支され、自然状態において該腕部を載置すると共に、前出し状態で該腕部の後方を上方へ押し上げる水平部材と、
該水平部材に接続され該水平部材の前方に延出する操作部と、
該横部材に左右方向に所定のピッチで付設される２つ以上の商品吊り下げ用フック部材とを有することを特徴とする商品陳列装置。
【請求項２】
該水平部材の後方端の上部コーナーに滑り材を付設したことを特徴とする請求項１記載の商品陳列装置。
【請求項３】
該滑り材は、該操作部の下方付勢の操作により、該腕部の後部の下端面を押し上げると共に、該腕部の前方方向に当接しつつ転がるものであることを特徴とする請求項２記載の商品陳列装置。
【請求項４】
該固定部にガイド溝を設け、該ガイド溝にガイドされる突起を腕部に設けたことを特徴とする請求項１〜３のいずれか１項記載の商品陳列装置。
【請求項５】
該商品吊り下げ用フック部材は、前方向に延出する商品を吊り下げる棒状部材と、該棒状部材の先端から上方に屈曲する商品の転落を防止する係り止め部を有することを特徴とする請求項１〜４のいずれか１項記載の商品陳列装置。
【請求項６】
該両側の該操作部間に差し渡し状で配設されるバー部材であって、商品陳列姿勢の正面視において該バー部材は該横部材より上方側にあることを特徴とする請求項１〜５のいずれか１項に記載の商品陳列装置。
【請求項７】
前記バー部材の前面部は、凹状断面を有する商品情報表示部であることを特徴とする請求項６記載の商品陳列装置。
【請求項８】
該横部材が、バー部材又は網目状部材であることを特徴とする請求項１〜７のいずれか１項に記載の商品陳列装置。
【請求項９】
前記商品吊り下げ用フック部材に吊り下げられた商品の最後尾に、錘を吊り下げることを特徴とする請求項１〜８のいずれか１項記載の商品陳列装置。
【発明の詳細な説明】
【技術分野】
【０００１】
本発明は、スーパーやドラッグストアなどの商品陳列棚のフック部材に商品を多数個吊り下げ状態に陳列するとともに、全ての吊り下げ商品を一度に前方移動できる商品の前出しに好適な商品陳列装置に関するものである。
【背景技術】
【０００２】
スーパーやドラッグストアなどにおいて、歯ブラシなど細身の商品は、前方に延出し略水平状態の棒状部材（フック部材）に多数吊り下げ状態で陳列されている。特開平１０−２７２０４２号公報には、フック部材と、該フック部材にスライド移動可能に取り付けられ該フック部材に吊り下げられた商品を前方に押し付ける押し付け体と、該押し付け体をスライド移動させる操作バーと、該押し付け体を常時後方へ付勢する付勢弾性体とを備える商品陳列具が開示されている。
【０００３】
特開平１０−２７２０４２号公報に記載の商品陳列具によれば、商品の前出しは、押し付け体の取り付けた操作バーを手動により引き出すことにより行い、前出し後は、押し付け体が自動的に元に戻るため、商品の過度の押圧による変形等も生じることがなく、また客の通行の妨げとなることもなく安全である。
【特許文献１】特開平１０−２７２０４２号公報（請求項１）
【発明の開示】
【発明が解決しようとする課題】
【０００４】
しかしながら、特開平１０−２７２０４２号公報に記載の商品陳列具の商品の前出し作業は、売れ筋商品を陳列した陳列具とそうでない陳列具とでは異なるため、陳列具毎に手動により行う必要があり面倒である。また、この商品陳列具は、押し付け体を持たない従前のフック部材と比較するとコストアップは避けられない。
【０００５】
従って、本発明の目的は、ひとつの簡単な操作で全てのフック部材に吊り下げられた商品を一度に前出しできる商品陳列装置を提供することにある。
【課題を解決するための手段】
【０００６】
かかる実情において、本発明者は鋭意検討を行った結果、フック部材が付設された横長の横部材（バー部材）を可動枠体とし、該可動枠体の下方に位置する操作部の下方付勢の操作により、可動枠体を回動させれば、吊り下げられた商品すべてを一斉に前出しできることなどを見出し、本発明を完成するに至った。
【０００７】
すなわち、本発明は、左右方向に所定間隔おいて対向する一対の固定部と、該一対の固定部の少なくとも一方における前端部に回動自在で軸支される腕部と、該腕部の後方に一端が接続され該腕部間又は該腕部と該固定部間に差し渡し状に配設される横部材と、該腕部の下方に位置し、該固定部に回動自在に軸支され、自然状態において該腕部を載置すると共に、前出し状態で該腕部の後方を上方へ押し上げる水平部材と、該水平部材に接続され該水平部材の前方に延出する操作部と、該横部材に左右方向に所定のピッチで付設される２つ以上の商品吊り下げ用フック部材とを有する商品陳列装置を提供するものである。
【０００８】
また、本発明は、該水平部材の後方端の上部コーナーに滑り材を付設した前記商品陳列装置を提供し、また、本発明は、該滑り材は、該操作部の下方付勢の操作により、該腕部の後部の下端面を押し上げると共に、該腕部の前方方向に当接しつつ転がるものである前記商品陳列装置を提供し、また、本発明は、該固定部にガイド溝を設け、該ガイド溝にガイドされる突起を腕部に設けた前記商品陳列装置を提供し、また、本発明は、該商品吊り下げ用フック部材は、前方向に延出する商品を吊り下げる棒状部材と、該棒状部材の先端から上方に屈曲する商品の転落を防止する係り止め部を有する前記商品陳列装置を提供し、また、本発明は、該両側の該操作部間に差し渡し状で配設されるバー部材であって、商品陳列姿勢の正面視において該バー部材は該横部材より上方側にある前記商品陳列装置を提供し、また、本発明は、前記バー部材の前面部は、凹状断面を有する商品情報表示部である前記商品陳列装置を提供し、また、該横部材が、バー部材又は網目状部材である前記商品陳列装置を提供し、また、前記商品吊り下げ用フック部材に吊り下げられた商品の最後尾に、錘を吊り下げる前記商品陳列装置を提供するものである。
【発明の効果】
【０００９】
本発明の商品陳列装置によれば、該可動枠体の下方に位置する操作部の下方付勢の操作により、フック部材が付設された横長の横部材（バー部材）と一体化される腕部の後方が押し上げられ、吊り下げられた商品のすべてを一斉に前出しできる。このため、個々の商品陳列具の前出し状態を気にすることなく、簡単に前出し作業が行える。また、腕部を押し上げる水平部材にローラーを付設したため、前出し操作を円滑に行える。また、両側腕部の前方側に付設された前方操作バー部材（第２操作部）を用いる場合、操作位置が広がり一層操作し易いものとなると共に、商品情報表示機能を付与することもできる。また、フック部材が前下がり傾斜となることで錘が前方移動し、商品の前出しが一層円滑に行われる。
【発明を実施するための最良の形態】
【００１０】
次に、本発明の第１の実施の形態における商品陳列装置を図１〜図３を参照して説明する。図１は本例の商品陳列装置の使用状態を示す斜視図であり、上段の商品陳列装置が前出し状態を示し、下段の商品陳列装置が陳列状態（自然状態）を示す。図２は図１の商品陳列装置における側面図、図３は前出し状態における側面図をそれぞれ示す。なお、本明細書中、「前」は顧客側を言い、「後」はその反対方向を言い、「左右」は顧客側から見た方向を言う。
【００１１】
第１の実施の形態における商品陳列装置１０は、支柱５のスリット５１に装着される左側固定部である左ブラケット１と、左ブラケット１と所定間隔おいて対向する右側固定部である右ブラケット１と、左ブラケット１と右ブラケット１間の前端部で回動自在に軸支される腕部２、２と、腕部２、２の後方に一端が接続され腕部２、２間に差し渡し状に配設される横部材３と、腕部２、２の下方に位置し、左ブラケット１又は右ブラケット１に回動自在に軸支され、自然状態において腕部２、２を載置すると共に、前出し状態で腕部２、２の後方を上方へ押し上げる水平部材６、６と、水平部材６、６に接続され水平部材６、６の前方に延出する操作部９、９と、横部材３に左右方向に所定のピッチで付設される２つ以上の商品吊り下げ用フック部材４とを有する。なお、左側固定部及び右側固定部が固定されるものとしては、上記支柱のスリットに限定されず、壁などであってもよい。商品陳列装置１０における前出し構造は、左ブラケット１側及び右ブラケット１側共に同じであるため、図１中、右ブラケット１側の説明は省略し、左ブラケット１側の前出し機構について説明する。
【００１２】
ブラケット１は支柱５のスリット５１に係合する固定部材であり、腕部２を回動自在に支持し、腕部２とは異なる位置で操作部９を回動自在に支持する。ブラケット１は板状物であり、支柱５のスリット５１に係合する係合片１２と、所定の高さを有する後部側の基端部１３と、基端部１３から前方へ延出する長尺状の前部１４とからなる。ブラケット１のやや中央で且つ基端部１３側には前端部の軸２６までの距離を半径とする円弧の一部となる所定幅及び所定長さのガイド溝１１が形成され、ガイド溝１１の近傍やや前方には水平部材６を回動自在に支持する軸部９１が形成され、前部１４の前端部には腕部２を回動自在に支持する軸部２６が形成されている。ガイド溝１１の溝幅は腕部２に付設された突起の径よりやや大きいものであり、また該ガイド溝１１の溝長さは腕部２の所定の回動範囲を制限しない程度のものであればよく、ガイド溝１１の上端は回動の限界点となる。また、基端部１３の下端には内側に延びる水平部材６を載置する水平板材１５が形成されている。また、前部１４の先端形状は丸み形状とし操作部９の当たり部９３との当接を滑らかにしている。
【００１３】
腕部２は長尺状物であり、その前端部がブラケット１に軸支され、後方側が上下方向に回動自在となっている。また、腕部２の中央よりやや後方側にはブラケット１のガイド溝１１に係合する突起６１が形成されている。また、後方側には上端及び下端から内側に延びる水平板部２１が形成され、横部材３と接合を安定させ且つ水平部材６との当接が円滑になるようにしている。
【００１４】
水平部材６は後方部を除き概ね板状物を縦置きとした形状であり、操作部９と一体となったものである。操作部９は本例では水平部材６と、前方部材９５と、水平部材６の前端部と前方部材９５の後端部とを接続する連結部材９２とで側面視がクランク形状のものとなっている。水平部材６は前端部分においてブラケット１に回動自在に軸支されており、水平部材６の後方側は上下方向に回動自在となっている。また、水平部材６の後方端の上部コーナーには滑り材であるローラー９４が付設されており、ローラー９４は、操作部９の下方付勢の操作により、腕部２の後部の下端面を押し上げると共に、腕部２の前方方向に当接しつつ転がるものである。水平部材６の後方部は板状物を内側に直角に屈曲させ、更に後方に直角に屈曲させた平面視がＬ字形状のものであり、腕部２の水平板部２１との当接を確実なものとしている。ローラー以外の滑り材としては、丸みのコーナ部に摩擦係数が小さなシート材を貼付したもの等が挙げられる。
【００１５】
また、操作部９において、前方部材９５の後方端部と連結部材９２の接続部分近傍の上縁には、内側に延びる水平板状の当たり部材９３が形成されている。当たり部材９３は操作部９の下方付勢により、ブラケット１（腕部２）の前端の丸み部に当接することで回動の上限を規制するものである。すなわち、当たり部材９３がブラケット１（腕部２）の前端の丸み部に当たるまで操作部９を回動させれば、横部材３に付設される商品吊り下げ用フック部材４を前方下り傾斜にすることができる。
【００１６】
横部材３は矩形断面の長尺状のバー部材である。横部材３の両端は左側腕部２と右側腕部２と接合している。また、横部材３には左右方向に所定のピッチで多数個の商品吊り下げ用フック部材４が付設されている。商品吊り下げ用フック部材４は、本例では横部材３に固定される取付部４１と、取付部４１の上面にその後方側が固定され、前方へ延出する棒状部材４２とからなる。棒状部材４２は商品が前後方向に多数、吊り下げられるものであり、通常略水平かあるいは前方にやや上り傾斜とすることで、陳列の安定性を高めている。また、棒状部材４２の先端は上方へ屈曲して係り止め部４３とし、商品の転落を防止している。なお、商品吊り下げ用フック部材４は横部材３に固定されたものであっても、脱着可能なものであってもよい。
【００１７】
係り止め部４３には、商品の転落を更に確実に防止するため、少なくとも係り止め部４３の商品吊り下げ側の周面に係止部を形成してもよい。係止部の一例としては、部分円形断面状突起４４（図６（Ａ））、矩形断面状突起４４ａ（同図（Ｂ））、螺子４４ｂ（図７（Ａ））及びローレット４４ｃ（同図（Ｂ））などが挙げられる。
【００１８】
左側腕部２、後方バー部材３及び右側腕部２で形成される平面視コ字形状の枠体（以下、単に「コ字形状の枠体」と言う）は腕部２の前端部がブラケットの前端部に軸支され、突起６１がブラケット１のガイド溝１１の下端縁に当接しており、更に腕部２の後方端が水平部材６のローラー９４に当接しており、腕部２の水平状態を安定に支持しているため、商品吊り下げ用フック部材４の棒状部材４２は略水平状態を維持し、商品Ａを安定して陳列している。この状態で、商品Ａは前の方から順次、売られ抜き取られていく（図１の下段の商品陳列装置、図２参照）。
【００１９】
商品Ａの前出しを行う場合、すなわち、図１の下段の商品陳列装置を上段の商品陳列装置とするには、先ず、操作部９、９のいずれか一方又は双方を下方へ押し下げる（図３中のＸ方向）。この下方への付勢力により、水平部材６は軸部９１を中心に水平部材６の後方が上方へ回動する。この際、ローラー９４は腕部２の後部の下端面を押し上げると共に、腕部２の前方方向に当接しつつ転がり、腕部２の押し上げを円滑にする。押し上げられた腕部２は前端部の軸部２６を中心に腕部２の後方が上方へ回動する。更に、操作部９を下方へ押し下げると、腕部２の突起６１がガイド溝１１の上端縁に当たり操作部９の下方付勢を規制する。また、同時に操作部９の当たり部９３がブラケット１の前端部の丸み部に当たり、この部分でも操作部９の下方付勢を規制する。下方への回動が行き過ぎると陳列商品はフック部材４の係り止め部４３を超えて転落してしまう。また下方への回動が小さいと安定した前出しが行えない。コ字形状の枠体が下方へ回動すると、フック部材４の棒状部材４２が前方下り傾斜となるため、商品Ａは重力により前方へ移動する（図３参照）。
【００２０】
また、商品吊り下げ用フック部材４、すなわち、その棒状部材４２に前後方向に多数吊り下げられた商品の最後尾に、錘４４を吊り下げてもよい。錘４４の形態としては、特に制限されず、図８に示すような板状物などが挙げられる。この場合、板状物の上部に棒状部材４２が挿通する孔４７が形成されることが好ましい。また、挿通孔以外に板状物の上部に付設されるフック部材を棒状部材４２に吊り下げる形態のものであってもよい。これにより、フック部材４が前下がり傾斜となることで錘４４が前方移動し、商品の前出しが一層円滑に行われる。なお、図８中、商品の記載は省略した。
【００２１】
前出しが完了すると、操作部９に対する下方への付勢を解除する。具体的には操作部９への下方への押圧力を徐々に下げていく。操作部９への押圧力が低下すると、コ字形状の枠体の後方側の重みにより、コ字形状の枠体は軸部２６を中心に後方が下方へ回動する。この際、水平部材６のローラー９４は、腕部２の下面を回転しながら当接して腕部２の後方側へ移動する。そして、コ字形状の枠体は元の陳列姿勢を採り、フック部材４の棒状部材４２は略水平状態になり、商品Ａは前出し状態で陳列される（図３参照）。
【００２２】
第１の実施の形態における商品陳列装置１０において、横部材３は、商品吊り下げ用フック部材４が付設可能なものであれば特に制限されず、バー部材以外に網目状部材、すなわち網目状に形成された長尺状部材も適用できる。操作部９の形態としては、上記以外に例えば、前方部材９５が省略されたものであってもよい。この場合、連結部材９２が操作部となり、前出し操作は前方へ引くような操作となる。また、ガイド溝１１と突起６１は省略することができる。この場合、回動が不安定になることもなく、また、回動範囲の規制は操作部９の当たり部９３で行えばよい。また、水平部材６のローラー９４は省略することができる。この場合、水平部材６の角部と腕部の下面とに摩擦抵抗が発生するが、回動操作の支障になるほどではない。また、操作部９の当たり部９３は省略することができる。この場合、回動範囲の規制はガイド溝１１と突起６１の当接で行うことになる。また、回動範囲を規制する部材は無くとも、手動操作で概ね操作することもできる。また、上記の前出し構造は両側フランジのいずれか一方に形成されるものであってもよい。この場合、前出し構造が省略された他方のフランジ部は、横部材３が固定部１に直接回動自在に軸支されたものでもよく、腕部２が固定部１に直接回動自在に軸支され、該腕部２に横部材３が接続されるような形態であってもよい。
【００２３】
第１の実施の形態における商品陳列装置１０によれば、コ字形状の枠体の下方に位置する操作部９の下方付勢の操作により、フック部材が付設された横長の横部材（バー部材）と一体化される腕部２の後方が押し上げられ、吊り下げられた商品Ａのすべてを一斉に前出しできる。このため、個々の商品陳列具の前出し状態を気にすることなく、簡単に前出し作業が行える。また、腕部２を押し上げる水平部材６にローラー９４を付設したため、前出し操作を円滑に行える。
【００２４】
次に、第２の実施の形態における商品陳列装置を図４及び図５を参照して説明する。図４及び図５において、図１〜図３の商品陳列装置と同一構成要素には同一符号を付してその説明を省略し、異なる点について主に説明する。図４は本例の商品陳列装置の商品陳列状態（自然状態）を示す斜視図、図５は本例の商品陳列装置の前出し状態を示す斜視図である。なお、図４及び図５中、商品吊り下げ用フック部材４及び商品の記載は省略した。すなわち、第２の実施の形態の商品陳列装置１０ａにおいて、第１の実施の形態の商品陳列装置１０と異なる点は、両側の操作部９間に差し渡し状でバー部材を配設した点にある。この場合、商品陳列姿勢の正面視においてバー部材９５は横部材３より上方側にあることが、操作のし易さなどの点で好ましい。また、このバー部材９５の前面部は、凹状断面を有する商品情報表示部９６とすることができる。これにより、ひとつの部材で操作と商品情報表示の２通りの機能を付与することができる。
【００２５】
商品陳列装置１０ａによれば、商品陳列装置１０と同様の効果を奏する他、商品を前出しする際、両側腕部２の前方側に付設された前方バー部材９５である第２操作部を操作すればよく、操作位置が広がり一層操作し易いものとなると共に、前方バー部材９５の前面部が商品情報表示機能９６を有するため便利である。
【図面の簡単な説明】
【００２６】
【図１】第１の実施の形態例の商品陳列装置の斜視図である。
【図２】本例の商品陳列装置の商品陳列状態（自然状態）における側面図である。
【図３】本例の商品陳列装置の前出し状態における側面図である。
【図４】第２の実施の形態例の商品陳列装置の商品陳列状態を示す斜視図である。
【図５】第２の実施の形態例の商品陳列装置の前出し状態を示す斜視図である。
【図６】フック部材の係り止め部の形状の例示を示す図である。
【図７】フック部材の係り止め部の形状の他の例示を示す図である。
【図８】商品吊り下げ用フック部材に吊り下げられた錘を説明する図である。
【符号の説明】
【００２７】
１    左側固定部または右側固定部（左ブラケットまたは右ブラケット）
２    左側腕部または右側腕部
３    後方バー部材
４    フック部材
５    支柱
６    水平部材
９    操作部
１０、１０ａ    商品陳列装置
Ａ    陳列商品
【図１】
2007029611.tif 000003
【図２】
2007029611.tif 000004
【図３】
2007029611.tif 000005
【図４】
2007029611.tif 000006
【図５】
2007029611.tif 000007
【図６】
2007029611.tif 000008
【図７】
2007029611.tif 000009
【図８】
2007029611.tif 000010